(57)【要約】【課題】温度センサが設置されていない部屋についても、迅速に快適な空調が行われるようにする。【解決手段】温度センサ５が設置された部屋４Ａの空調と温度センサが設置されていない部屋４Ｂの空調を共通の空調用空気によって行う空気調和機である。温度センサ５で検知された温度が設定温度となるように部屋４Ａに空調用空気を供給している際に、部屋４Ｂの空調を開始するとき、部屋４Ｂに対する空調用空気の供給を開始するとともに、部屋４Ａに対する空調用空気の供給を一時的に遮断する。【選択図】図２
2013200067.tif 000002
【特許請求の範囲】
【請求項１】
室外熱交換器を備えた室外機と、前記室外熱交換器に接続された室内熱交換器と送風機とコントローラと送風分配器を備えた室内機と、前記コントローラに接続された温度センサが設置された第１の部屋と、温度センサが設置されていない第２の部屋と、前記第１および第２の部屋にそれぞれ設けられた吹出口と、前記室内機の前記送風分配器と前記各吹出口をそれぞれ接続するダクトとを備え、該各ダクトの途中に通路開閉用のダンパが設けられた空気調和機において、
前記コントローラの制御により、前記第１の部屋の前記ダクトのダンパを開き前記温度センサで検知された温度が設定温度となるように前記第１の部屋に前記送風分配器から空調用空気を供給している際に、前記第２の部屋の空調を追加して開始するとき、前記第２の部屋のダクトのダンパを開いて前記第２の部屋への前記空調用空気の供給を開始するとともに、前記第１の部屋のダクトのダンパを閉じて前記第１の部屋への前記空調用空気の供給を所定時間だけ遮断することを特徴とする空気調和機。
【請求項２】
請求項１に記載の空気調和機において、
前記第１の部屋の前記温度センサで検知された温度が設定温度に対して不足しているときは、前記第１の部屋に対する前記空調用空気の供給を遮断する前記所定時間は、前記第１の部屋の前記温度センサで検知された温度と設定温度との温度差分が小さいほど、長くすることを特徴とする空気調和機。
【請求項３】
請求項１に記載の空気調和機において、
前記第１の部屋の前記温度センサで検知された温度が設定温度に対して不足していて、且つ前記第１の部屋の前記温度センサで検知された温度と設定温度との温度差分が所定値より大きいときは、前記第１の部屋への前記空調用空気の遮断を行わないことを特徴とする空気調和機。
【請求項４】
請求項１に記載の空気調和機において、
前記第１の部屋の前記温度センサで検知された温度が、暖房運転時に設定温度よりも高くなり、又は冷房運転時に設定温度よりも低くなっているときは、前記第１の部屋に対する前記空調用空気の供給を遮断する前記所定時間は、前記第１の部屋の前記温度センサで検知された温度の設定温度に対する温度差分が大きいほど、長くするようにしたことを特徴とする空気調和機。
【発明の詳細な説明】
【技術分野】
【０００１】
本発明は、１台の室内機で生成された共通の空調用空気によって複数の部屋の空調を行う空気調和機に関する。
【背景技術】
【０００２】
従来から、室外機の圧縮機と室外熱交換器および室内機の室内熱交換器を冷媒用配管で接続して冷凍サイクルを構成し、室内熱交換器で熱交換された空調用空気を、送風機によりダクトとダンパを介して複数の部屋に供給する空気調和機が提案されている（例えば、特許文献１）。
【０００３】
この空気調和機は、室内機の送風機付近の送風温度と室内機設定温度との差分を空調負荷として検出し、その空調負荷に応じて室外機の圧縮機の回転数を制御して、送風温度が室内機設定温度になるようにするとともに、各部屋の温度をそれぞれ温度センサで検出し、その検出温度と当該部屋の設定温度との差分によって、その部屋がどのゾーン（検出温度の当該部屋の設定温度からの隔たり具合）にあるかのゾーン判定を行い、このゾーン判定の結果に応じて当該部屋の分岐ダクト内のダンパの開閉を制御し、個々の部屋の温度が個々の部屋で設定された温度になるように制御している。
【先行技術文献】
【特許文献】
【０００４】
【特許文献１】特開平６−５０５９８号公報
【発明の概要】
【発明が解決しようとする課題】
【０００５】
ところが、上記の空気調和機のように、各部屋に温度センサを設置して各部屋毎に室内温度を個別に調整するシステムは、温度センサ設置のための工事が必要になる問題がある。そこで、例えば、図５（ａ）に示すように、部屋４Ａ〜４Ｆの６室のうち、ほぼ常時空調を行う部屋４Ａにのみ温度センサ５を設置して、他の部屋４Ｂ〜４Ｆについては、部屋４Ａの空調内容に応じて空調を行うことが考えられる。
【０００６】
しかしこの場合は、部屋４Ａの空調を行っている状態で、例えば図５（ｂ）に示すように、部屋４Ｂの空調を開始するときは、その部屋４Ａの室温制御に応じて部屋４Ｂの室温が変化することになり、部屋４Ｂの空調が不完全となる。例えば、暖房運転では、図６に示すように、時刻ｔ０で部屋４Ｂの空調を開始したときは、部屋４Ｂの温度が上昇するものの、その上昇率は緩やかになり、部屋４Ａと４Ｂの温度差はなかなか縮まらず、部屋４Ｂが快適な室温になるには長時間を要する。そこで、部屋４Ｂを早期に快適にするために、温度センサ５で検出した温度に基づく制御をやめて圧縮機の能力を最大にするダッシュ運転を行うこともできるが、この場合は、部屋４Ａが過剰空調状態となる問題が発生する。
【０００７】
本発明の目的は、温度センサが設置されていない部屋についても迅速に快適な空調が行われるようにした空気調和機を提供することである。
【課題を解決するための手段】
【０００８】
上記目的を達成するために、請求項１にかかる発明は、室外熱交換器を備えた室外機と、前記室外熱交換器に接続された室内熱交換器と送風機とコントローラと送風分配器を備えた室内機と、前記コントローラに接続された温度センサが設置された第１の部屋と、温度センサが設置されていない第２の部屋と、前記第１および第２の部屋にそれぞれ設けられた吹出口と、前記室内機の前記送風分配器と前記各吹出口をそれぞれ接続するダクトとを備え、該各ダクトの途中に通路開閉用のダンパが設けられた空気調和機において、前記コントローラの制御により、前記第１の部屋の前記ダクトのダンパを開き前記温度センサで検知された温度が設定温度となるように前記第１の部屋に前記送風分配器から空調用空気を供給している際に、前記第２の部屋の空調を追加して開始するとき、前記第２の部屋のダクトのダンパを開いて前記第２の部屋への前記空調用空気の供給を開始するとともに、前記第１の部屋のダクトのダンパを閉じて前記第１の部屋への前記空調用空気の供給を所定時間だけ遮断することを特徴とする。
請求項２にかかる発明は、請求項１に記載の空気調和機において、前記第１の部屋の前記温度センサで検知された温度が設定温度に対して不足しているときは、前記第１の部屋に対する前記空調用空気の供給を遮断する前記所定時間は、前記第１の部屋の前記温度センサで検知された温度と設定温度との温度差分が小さいほど、長くすることを特徴とする。
請求項３にかかる発明は、請求項１に記載の空気調和機において、前記第１の部屋の前記温度センサで検知された温度が設定温度に対して不足していて、且つ前記第１の部屋の前記温度センサで検知された温度と設定温度との温度差分が所定値より大きいときは、前記第１の部屋への前記空調用空気の遮断を行わないことを特徴とする。
請求項４にかかる発明は、請求項１に記載の空気調和機において、前記第１の部屋の前記温度センサで検知された温度が、暖房運転時に設定温度よりも高くなり、又は冷房運転時に設定温度よりも低くなっているときは、前記第１の部屋に対する前記空調用空気の供給を遮断する前記所定時間は、前記第１の部屋の前記温度センサで検知された温度の設定温度に対する温度差分が大きいほど、長くするようにしたことを特徴とする。
【発明の効果】
【０００９】
本発明によれば、温度センサを第１の部屋のみに設置しながらも、温度センサを設置しない第２の部屋についても迅速に快適な空調を行うことができる。
【図面の簡単な説明】
【００１０】
【図１】本発明の実施例の空気調和機の構成図である。
【図２】本発明の実施例の空気調和機の制御のフローチャートである。
【図３】本発明の実施例の空調切替の説明図である。
【図４】本発明の実施例の暖房運転時の部屋４Ａ，４Ｂの温度特性図である。
【図５】従来の空調切替の説明図である。
【図６】従来の暖房運転時の部屋４Ａ，４Ｂの温度特性図である。
【発明を実施するための形態】
【００１１】
図１に本発明の空気調和機の構成を示す。１は建造物の天井等に設置された空調用空気の送風分配器であり、室内機１０に備えられている。この室内機１０は、送風分配器１の他に、室内熱交換器と送風機とコントローラ１１を備えている。そして、その室内熱交換器は室外機２０の室外熱交換器と冷媒用配管で接続され冷凍サイクルが構成されている。送風分配器１は、室内機１０の送風機により送出される空調用空気（冷気又は暖気）をダクト２Ａ〜２Ｆにより部屋４Ａ〜４Ｆにそれぞれ供給する。ダクト２Ａ〜２Ｆには通路開閉用のダンパ３Ａ〜３Ｆが設けられている。部屋４Ａは室内機１０のコントローラ１１に接続された温度センサ５が設置されている。なお、他の部屋４Ｂ〜４Ｆには温度センサは設置されていない。請求項との関係では、部屋４Ａは第１の部屋、部屋４Ｂ〜４Ｆは第２の部屋に相当する。コントローラ１１は室内機や室外機の運転制御、ダンパ３Ａ〜３Ｆの開閉制御等を行う。なお、送風分配器１は室内機１０に対してダクトで接続される場合もある。
【００１２】
図２に、部屋４Ｂの空調制御を行うフローチャートを示す。このフローチャートで表されるプログラムは、前記したコントローラ１１内のコンピュータのメモリに格納され、そのコンピュータによって実行される。
【００１３】
ここでは、まず、温度センサ５が設置されている部屋４Ａが空調されているか否かが判定される。この判定は部屋４Ａ用のダンパ３Ａが開いているか否かを確認することにより行われる。部屋４Ａの空調が行われていないとき（Ｓ１−Ｎ）は、部屋４Ｂのダンパ３Ｂを開き、その部屋４Ｂに空調用空気が供給され空調が開始される（Ｓ２）。このときは温度センサ５で検出した温度による制御は行われない。
【００１４】
部屋４Ａの空調が行われているとき（Ｓ１−Ｙ）は、その部屋４Ａは温度センサ５で検知した温度が当該部屋４Ａの設定温度となるように温度制御が行われる。このとき、設定温度Ｔｔに対する温度センサ５の検知温度Ｔｓの不足分の温度差分ΔＴ（暖房のときは「Ｔｔ−Ｔｓ」、冷房のときは「Ｔｓ−Ｔｔ」）が判定され、その温度差分ΔＴが５℃を超える場合（Ｓ３−Ｙ）は、部屋４Ｂのダンパ３Ｂを開いて空調用空気が供給され、その部屋４Ｂの空調が開始される（Ｓ２）。
【００１５】
一方、その差分ΔＴが５℃以下の場合（Ｓ３−Ｎ）は、まず部屋４Ｂのダンパ３Ｂを開いてその部屋４Ｂの空調が開始される（Ｓ４）とともに、部屋４Ａのダンパを閉じて（Ｓ５）、その部屋４Ａの空調が停止され、部屋４Ｂの空調効率が高められる。その際、室外機２０の能力を最大にするダッシュ運転が行なわれるようにすれば、短い時間でその部屋４Ｂを快適な温度にすることができる。
【００１６】
そして、このときの部屋４Ａの温度差分ΔＴが１〜５℃の範囲内（Ｓ６−Ｙ）であれば、その部屋４Ａの空調がまだ不十分であるので、２分経過を待って（Ｓ７）、部屋４Ａのダンパ３Ａを開き（Ｓ８）、その部屋４Ａの空調が再開される。一方、部屋４Ａの温度差分ΔＴが１℃未満（Ｓ６−Ｎ）であれば、その部屋４Ａの空調はほぼ十分であるので、５分経過を待って（Ｓ９）から、部屋４Ａのダンパ３Ａを開き（Ｓ８）、その部屋４Ａの空調が再開される。
【００１７】
以上の結果、部屋４Ｂの空調が開始される際、部屋４Ａの不足分の温度差分ΔＴが５℃を超える大きな場合は、部屋４Ａの空調が不十分であるため、部屋４Ａの空調がそのまま継続された状態で部屋４Ｂの空調が開始される。この結果、部屋４Ａ、４Ｂともに設定温度に向けて空調が行われる。また、部屋４Ａの不足分の温度差分ΔＴが１℃未満と小さいときは、部屋４Ａは十分空調されているので、その部屋４Ａの空調は５分だけ中断され、その５分間は部屋４Ａに供給されていた空調用空気が部屋４Ｂにも追加供給されるので、部屋４Ｂが強力に空調される。また、部屋４Ａの不足分の温度差分ΔＴが１〜５℃の範囲にあるときは、部屋４Ａは十分空調されているといえないので、部屋４Ａの空調は短い２分だけ中断され、その２分間は部屋４Ａに供給されていた空調用空気が部屋４Ｂにも追加供給されるので、部屋４Ｂの強力に空調される。
【００１８】
このように、現在空調が行われている部屋４Ａの室内温度が設定温度から大きくずれることがないように、部屋４Ｂの空調が行われる。部屋４Ｂは空調開始時に部屋４Ａの不足分の温度差分ΔＴが小さいほど部屋４Ａの空調を停止する時間を長くしてその分だけ強力に空調されるので、早期に部屋４Ａの設定温度に近づく空調が行われることになる。
【００１９】
図３に以上説明した部屋４Ａ，４Ｂの空調の切り替わりを図示した。また、図４に暖房運転時の部屋４Ａと４Ｂの温度変化を示した。図４において、時刻ｔ１で部屋４Ａのダンパ３Ａが閉じられ、部屋４Ｂのダンパ３Ｂが開かれるので、この後は部屋４Ａの温度が低下し部屋４Ｂの温度は上昇する。また、時刻ｔ２で部屋４Ａのダンパ３Ａが開かれるので、この後は部屋４Ａの温度が上昇し、部屋４Ｂの温度の上昇傾向が緩くなる。
【００２０】
なお、以上では部屋４Ａのダンパ３Ａが閉じている時間を、温度差分ΔＴが１℃≦ΔＴ≦５℃の範囲のときは２分、ΔＴ＜１℃のときは５分として説明したが、これに限られるものではない。例えば、４℃≦ΔＴ≦５℃のときは１分、３℃≦ΔＴ＜４℃のときは２分、２℃≦ΔＴ＜３℃のときは３分、１℃≦ΔＴ＜２℃の範囲のときは４分、ΔＴ＜１℃のときは５分、のように、部屋４Ａのダンパ３Ａが閉じている時間について、温度差分ΔＴが小さいほど長くするステップをより細かくしてもよい。
【００２１】
なお、以上では、現在、部屋４Ａが空調されている状態で、部屋４Ｂが追加的に空調される場合について説明したが、さらに加えて、他の部屋４Ｃ〜４Ｆのいずれか１つを追加的に空調する場合についても、同様な制御が行われる。このとき、すでに空調が開始している部屋４Ｂについては、そのダンパ３Ｂは開いたままとし、その空調が継続される。
【００２２】
また、以上では、部屋４Ａの温度が設定温度を超えない場合を前提にして説明した。しかし、温度制御によっては、部屋の温度が設定温度以上に上昇する暖房時のオーバーシュート現象、又は設定温度以下に低下する冷房時のアンダーシュート現象が発生することがある。このように、部屋４Ａの温度が、暖房時に設定温度に対して高い温度になり、又は冷房時に設定温度に対して低い温度になっているような過剰空調の状況下で、途中で部屋４Ｂの空調を開始したときは、部屋４Ｂのダンパ３Ｂを開くとともに部屋４Ａのダンパ３Ａを閉じ、設定温度に対する温度差分が大きいほど、部屋４Ａのダンパ３Ａが閉じている時間を長くする制御を行えば、過剰空調を防止でき、省エネルギーを実現できる。
【００２３】
また、以上の説明では、空気調和機の制御はコントローラ１１内のコンピュータにより実行されるものとしたが、これに限るものではなく、コンピュータは例えば室内機、室外機に備えられ、コントローラ１１から入力された運転指示により空気調和機の制御を行うようにしてもよい。
【符号の説明】
【００２４】
１０：室内機、１１：コントローラ、１：送風分配器、２Ａ〜２Ｆ：ダクト、３Ａ〜３Ｆ：ダンパ、４Ａ〜４Ｆ：部屋、５：温度センサ、２０：室外機
【図１】
2013200067.tif 000003
【図２】
2013200067.tif 000004
【図３】
2013200067.tif 000005
【図４】
2013200067.tif 000006
【図５】
2013200067.tif 000007
【図６】
2013200067.tif 000008